(57)【特許請求の範囲】
【請求項１】
火炎検知手段を有するガスバーナーを備え、該ガスバーナーの作動を制御する自動復帰式のライトタッチスイッチを設けたガス器具において、
前記ライトタッチスイッチを押操作してガスバーナーの燃焼を開始させ、前記火炎検知手段がガスバーナーの火炎を検知すると作動するタイマーを備え、タイマーがカウントを開始して所定の時間経過後に、ライトタッチスイッチのＯＮ状態が保持されていると、ガスバーナーへの燃料ガスの供給を停止するようにしたことを特徴とするガス器具。
【請求項２】
前記ライトタッチスイッチは、プリント基板に実装されたものであることを特徴とする請求項１記載のガス器具。
【発明の詳細な説明】
【０００１】
【発明の属する技術分野】
本発明は、自動復帰式のライトタッチスイッチによってガスバーナーへの燃料ガスの供給やそのガス流量の調節等の作動が制御可能なガスコンロ等のガス器具に関する。
【０００２】
【従来の技術】
例えば、ガスコンロでは、天板の開口を臨むようにコンロ器体に設けた２個のブンゼン式コンロバーナーとグリルに設けたセラミックプレート式グリルバーナーとが設けられる。
【０００３】
近年では、ガスコンロの利便性を高めるためコンロ及びグリルの各バーナーの作動を電子制御することが増えている。この場合、コンロ器体の正面の操作パネルにライトタッチスイッチを設け、ガスコンロへの通電を開始する電源スイッチをＯＮした後、点火／消火用のライトタッチスイッチを軽く押せば、コンロ器体に設けたマイコンにより各バーナーに燃料ガスが供給され、点火動作が行われる。
【０００４】
点火／消火用のライトタッチスイッチは、部品点数を減らしてガスコンロの製造コストを低減するため、例えばプリント基板上に実装している。この場合、プリント基板のそり等によってライトタッチスイッチを操作する前に自然にＯＮ状態に保持されるという問題があった。
【０００５】
このような問題の解決策は、例えば、特許第２５６３２８９号公報が知られている。このものでは、ライトタッチスイッチを押操作することで該スイッチがＯＮしてから所定の時間経過後に再びライトタッチスイッチがＯＮ状態であるか否かを確認判定し、未だＯＮ状態であるとマイコンが判断すると、エラーの発生と判断され、ガスバーナーの燃焼の開始または続行を停止する。
【０００６】
【発明が解決しようとする課題】
ところで、調理者は、ガスバーナーの点火操作を行う際、目視でガスバーナーの火炎を確認しつつ該ガスバーナーが着火するまでライトタッチスイッチを押し続けることがある。
【０００７】
この場合、上記のものでは、ライトタッチスイッチを押し続ける時間が上記所定の時間に達すると、エラーの発生と判断されてしまい、不必要にガスバーナーの燃焼の開始または続行が停止され、ガス器具の使い勝手が悪くなる。
【０００８】
そこで、本発明は、上記点に鑑み、ライトタッチスイッチを用いた使い勝手のよいガス器具を提供することを課題とするものである。
【０００９】
【課題を解決するための手段】
この課題を解決するため、本発明のガス器具は、火炎検知手段を有するガスバーナーを備え、該ガスバーナーの作動を制御する自動復帰式のライトタッチスイッチを設けたガス器具において、前記ライトタッチスイッチを押操作してガスバーナーの燃焼を開始させ、前記火炎検知手段がガスバーナーの火炎を検知すると作動するタイマーを備え、タイマーがカウントを開始して所定の時間経過後に、ライトタッチスイッチのＯＮ状態が保持されていると、ガスバーナーへの燃料ガスの供給を停止するようにしたことを特徴とする。
【００１０】
本発明によれば、ライトタッチスイッチを押操作して点火指示を行うと、該ガスバーナーに燃料ガスが供給されて点火動作が行われ、火炎検知手段がガスバーナーの火炎を検知する。
【００１１】
火炎検知手段がガスバーナーの火炎を検知すると、タイマーがカウントを開始する。そして、所定の時間経過後に、ライトタッチスイッチが自動的にＯＦＦ状態に復帰するとガスバーナーの燃焼を続行し、プリント基板のそり等によってＯＦＦ状態に復帰しないと、エラーの発生と判断してガスバーナーへの燃料ガスの供給を直ちに停止する。
【００１２】
このため、ガスバーナーの点火操作を行う際、調理者が目視でガスバーナーの火炎を確認しつつ該ガスバーナーの着火までライトタッチスイッチを押し続けるような場合でも、調理者はガスバーナーの着火を確認した直後にその操作を解除する一方で、該ガスバーナーが着火した後タイマーがカウントを開始するので、不必要にガスバーナーの燃焼の開始または続行が停止されることはない。
【００１３】
尚、前記ライトタッチスイッチは、例えば、プリント基板に実装されたものである。
【００１４】
【発明の実施の形態】
図１及び図２を参照して、１は、本発明のガスコンロを示す。ガスコンロ１はコンロ器体１１を有し、該コンロ器体１１には、その上面に装着された天板１２の円形開口を臨むように、加熱量が相違する２個のコンロバーナ１３ａ、１３ｂが設けられている。
【００１５】
コンロバーナ１３ａ、１３ｂは外周に複数の炎口が列設されたブンゼン式の外炎バーナである。また、コンロバーナー１３ａ、１３ｂの炎口近傍には、バーナーの着火状態を確認するために熱電対等の火炎検知手段６が設けられている（図２参照）。
【００１６】
尚、火炎検知手段６は、例えば、五徳Ｇ上に載置した調理なべ等からの煮こぼれでコンロバーナー１３ａ、１３ｂの火炎が消火されたとき、該コンロバーナーへの燃料ガスの供給を停止する検知手段としての役割も有する。
【００１７】
コンロ器体１１の正面の両端には操作パネル１４が設けられ、該両操作パネル１４の間に位置してコンロ器体１１にはグリル２が設けられている。該グリル２はグリル庫２１を備え、グリル庫２１の天井部には被調理物を調理するグリルバーナが設けられている。
【００１８】
グリルバーナーは、プレート内に貫通する複数個のガス噴出口を備えたセラミックプレート式バーナーであり、バーナーの着火状態を確認するために熱電対等の火炎検知手段が設けられている。
【００１９】
尚、コンロバーナー１３ａ、１３ｂ及びグリルバーナーの混合管には、電磁弁を備えた１本のガス管から分岐した分岐管がそれぞれ接続され、各分岐管には、モータの駆動によってガスバーナーへの燃料ガスのガス流量を自動調節できる電磁弁を備えたガスバルブ（図示せず）が設けられている。
【００２０】
グリル庫２１の開口した前面には耐熱性ガラスが嵌め込まれたグリル扉２２が着脱自在に装着される。該グリル扉２２の裏面には枠材２２ａが着脱自在に装着され、該枠材２２ａがグリル皿２３を支持し、グリル扉２２の開閉に伴ってグリル皿２３をグリル庫２１から出入れされる。皿状に形成されたグリル皿２３はまた、魚等の被調理物が載置される焼き網２４を支持する。
【００２１】
そして、点火／消火及び火力調節等のコンロバーナ１３ａ、１３ｂ及びグリルバーナーの作動は、両端の正面パネル１４に配置した点火／消火用ライトタッチスイッチ１５ａ、１５ｂ、１５ｃ及び火力調節用ライトタッチスイッチ１６ａ、１６ｂ、１６ｃで制御される。操作パネル１４にはまた、ガスコンロ１への通電を開始するシーソー式の電源スイッチ１４ａが設けられている。
【００２２】
ライトタッチスイッチ１５、１６は、部品点数を減らてガスコンロ１の製造コストの低減するためプリント基板上に実装した自動復帰式のものであり、電源スイッチ１４ａをＯＮするとスタンバイ状態になる。そして、調理者が指で軽く触れると、その制御指示をコンロ器体１１に設けたガスコンロ１の作動を制御するマイコンに出力し、それに応じて作動が制御される。
【００２３】
また、火力調整用ライトタッチスイッチ１６は、コンロバーナー１３ａ、１３ｂ及びグリルバーナーの火力を段階的に増減できるように２個のライトタッチスイッチを並設して構成したものである。
【００２４】
ところで、点火／消火用のライトタッチスイッチ１５をプリント基板上に実装すると、プリント基板のそり等によって自然にライトタッチスイッチ１５がＯＮする場合がある。この場合、ライトタッチスイッチ１５がＯＮされてから所定の時間経過後に再びライトタッチスイッチ１５がＯＮ状態であるか否かを確認判定し、未だＯＮ状態であると、エラーの発生と判断してコンロ及びグリルの各バーナー１３ａ、１３ｂへの燃料ガスの供給を遮断することができる。
【００２５】
ところが、コンロバーナー１３ａ、１３ｂの点火操作を行う際に調理者が目視でバーナーの火炎を確認しつつコンロバーナー１３ａ、１３ｂが着火するまでライトタッチスイッチ１５を押し続けた場合、ライトタッチスイッチ１５を押し続ける時間が上記所定の時間に達すると、エラーの発生と判断されてしまい、不必要にコンロバーナー１３ａ、１３ｂの燃焼の開始または続行が停止される。
【００２６】
本実施の形態では、ライトタッチスイッチ１５を押操作して例えばコンロバーナー１３ａの燃焼を開始させ、火炎検知手段６がその火炎を検知すると作動するタイマーをマイコンに付設し、タイマーがカウントを開始して所定の時間経過後に、ライトタッチスイッチ１５のＯＮ状態が保持されていると、マイコンからの指示で、例えば、ガスバルブの電磁弁を閉弁して各バーナー１３ａ、１３ｂへの燃料ガスの供給を停止するようにした。
【００２７】
これにより、コンロバーナー１３ａの点火操作を行う際、調理者が目視でコンロバーナー１３ａの火炎を確認しつつコンロバーナー１３ａが着火までライトタッチスイッチ１５ａを手で押し続けるような場合でも、調理者はコンロバーナー１３ａの着火を確認すると手を離す一方で、コンロバーナー１３ａが着火して始めてタイマーがカウントを開始するので、不必要にコンロバーナー１３ａの燃焼の開始または続行が停止されることはない。
【００２８】
図３を参照して、本発明の作用を説明する。例えばコンロバーナー１３ａを点火するため、ライトタッチスイッチ１５ａをＯＮすると、ガスバルブが作動すると共にイグナイターがＯＮしてコンロバーナー１３ａに燃料ガスが供給され、点火操作が行われる（Ｓ１１）。
【００２９】
次いで、コンロバーナー１３ａの近傍に設けた火炎検知手段６が該コンロバーナー１３ａの火炎を検知することでコンロバーナー１３ａの着火を確認判定する（Ｓ１２）。そして、火炎検知手段Ｓが火炎を検知するとタイマーが作動する（Ｓ１３）。
【００３０】
タイマーが作動して５秒後に、ライトタッチスイッチ６がＯＦＦ状態に自動復帰しているかを確認判定する（Ｓ１４）。ライトタッチスイッチ６がＯＦＦ状態に自動復帰していればガスバーナーへの燃料ガスの供給はそのままである。
【００３１】
それに対して、ライトタッチスイッチ６がＯＦＦ状態に自動復帰していなければ、エラーの発生をマイコンに出力し（Ｓ１５）、マイコンはガスバルブの電磁弁を直ちに閉弁し、コンロバーナー１３ａへの燃料ガスの供給を停止する。
【００３２】
【発明の効果】
以上に説明したように本発明のガス器具では、不必要にガスバーナーの燃焼の開始または続行が停止されることはないので、使い勝手が向上するという効果を奏する。
【図面の簡単な説明】
【図１】本発明のガスコンロの斜視図
【図２】コンロバーナーの断面図
【図３】燃料ガスの供給の制御を説明する図
【符号の説明】
１    ガスコンロ
１３ａ、１３ｂ  コンロバーナー
１５、１６  ライトタッチスイッチ
【図１】
0003739322.tif 000002
【図２】
0003739322.tif 000003
【図３】
0003739322.tif 000004